(57)【要約】【課題】  遊技機に使用される遊技媒体の表裏面に固着した汚れを確実、かつ迅速に除去することができるブラシローラを有する遊技媒体洗浄装置を提供する。【解決手段】  筐体１２には、メダル１４が投入されるメダル投入部１６と、メダル投入部１６のメダル１４を搬送するメダル搬送部１８と、メダル搬送部１８により搬送されたメダル１４を洗浄するメダル洗浄部と２０と、メダル洗浄部２０により洗浄済のメダル１４ａの洗浄液を除去排出する洗浄液脱水部２２と、洗浄済のメダル１４ａを払拭し乾燥するメダル乾燥部２４と、このメダル乾燥部２４により乾燥後のメダル１４ｂを排出するメダル排出部２６とを備える。メダル洗浄部２０は、上下対のブラシローラ４４ａ〜４４ｄおよび４６ａ〜４６ｄを有する。ブラシローラ４４ａ〜４４ｄおよび４６ａ〜４６ｄは、縦断面凹凸状の波型を有し先端部が互いに半径方向に交差に突出して回転する。【選択図】  図１
2005152554.tif 000002
【特許請求の範囲】
【請求項１】
遊技機にて使用される遊戯媒体に付着した汚れを除去するための遊戯媒体洗浄装置であって、
前記遊技媒体洗浄装置は、前記遊技媒体を投入する遊技媒体投入部と、
前記遊技媒体を移送する遊技媒体搬送部と、
前記遊技媒体を洗浄する遊技媒体洗浄部と、
洗浄された前記遊技媒体に付着する洗浄液を除去する洗浄液脱水部と、
洗浄された前記遊技媒体を払拭し乾燥する遊技媒体乾燥部と、
を備え、
前記遊技媒体洗浄部は、上下対をなして複数個並設して設けられ先端部が互いに係合し軸長方向に縦断面凹凸状の波型に形成され前記遊技媒体を挟持するブラシローラを有することを特徴とする遊戯媒体洗浄装置。
【請求項２】
請求項１記載の遊技媒体洗浄装置において、前記波型はピッチが前記遊技媒体の直径よりも小または同等であることを特徴とする遊技媒体洗浄装置。
【請求項３】
請求項１または請求項２の記載の遊技媒体洗浄装置において、
前記ブラシローラの先端部が互いに該先端部より半径方向に突出することを特徴とする遊技媒体洗浄装置。
【発明の詳細な説明】
【技術分野】
【０００１】  本発明は、例えば、パチスロ、スロットマシン等の遊技機で使用される遊技媒体であるメダルを洗浄する遊技媒体洗浄装置に関し、さらに詳細には前記遊技媒体を洗浄するブラシローラに関する。
【背景技術】
【０００２】  パチスロ、スロットマシン等に使用されているメダルを洗浄する遊技媒体洗浄装置は、メダルを投入する工程と、前記メダルが互いに重畳しないように整列する工程と、整列したメダルの一側を洗浄する工程と、一側が洗浄された前記メダルを反転する工程と、反転したメダルの他側を洗浄する工程と、洗浄されたメダルに付着する洗浄液を除去する工程と、洗浄液が除去されたメダルを乾燥する工程と、乾燥されたメダルを排出する工程とから構成される（例えば、特許文献１参照）。
【特許文献１】      特許番号  第２５３８５０１号（第２頁第４欄〜第３頁第５欄）
【発明の開示】
【発明が解決しようとする課題】
【０００３】  特許文献１に記載される遊技媒体洗浄装置は、各工程が一定の幅を有するベルトコンベアにメダルを保持して搬送することを特徴とするものである。この場合、前記移動工程中にメダルの洗浄、反転、洗浄液の拭き取りおよび乾燥の各作業がベルトコンベア上で行われる。特に、洗浄作業はメダルがベルトコンベアの移動中に洗浄ブラシにより該ベルトコンベア上で行なわれるので、前記メダルに付着する粉塵や油脂等の汚れは十分に除去することができない。【０００４】  本発明は、上記の不都合を解決するためになされたもので、上下対のブラシローラを複数個並設し、これらのブラシローラの間に遊技媒体を通過させることにより該遊技媒体の洗浄力を向上させることができる遊技媒体洗浄装置を提供することを目的とする。
【課題を解決するための手段】
【０００５】  前記課題を解決するため、本発明は、遊技機にて使用される遊技媒体に付着した汚れを除去するための遊技媒体洗浄装置であって、
遊技機にて使用される遊戯媒体に付着した汚れを除去するための遊戯媒体洗浄装置であって、
前記遊技媒体を投入する遊技媒体投入部と、
前記遊技媒体を移送する遊技媒体搬送部と、
前記遊技媒体を洗浄する遊技媒体洗浄部と、
洗浄された前記遊技媒体に付着する洗浄液を除去する洗浄液脱水部と、
洗浄された前記遊技媒体を払拭し乾燥する遊技媒体乾燥部と、
を備え、
前記遊技媒体洗浄部は、上下対をなして複数個並設して設けられ先端部が互いに係合し軸長方向に縦断面凹凸状の波型に形成されるブラシローラを有することを特徴とする。【０００６】  本発明によれば、遊技媒体は連続的にブラシローラ間に搬送され、該ブラシローラ間を通過する際に遊技媒体の表裏面がブラシローラにより挟持され、かつブラシローラの撓みにより遊技媒体が偏移して該ブラシローラとの摩擦により洗浄され、該遊技媒体の汚れを落とすことができる。【０００７】  この場合、前記波型は、ピッチが前記遊技媒体の直径よりも小または同等であると、遊技媒体の表裏面にブラシローラの先端部が数多く接触するので、遊戯媒体に対する摩擦力を高めて洗浄することができるのでよい。【０００８】  さらに、本発明は、前記のブラシローラは先端部が互いに該先端部より半径方向に突出すると遊戯媒体が強く押圧され、遊技媒体に対する摩擦力をさらに高めて洗浄することができるので、ブラシローラによる洗浄力がさらに向上するのでよい。
【発明の効果】
【０００９】  本発明によれば、遊技媒体は連続的にブラシローラ間に搬送され、該遊ブラシローラ間を通過する際に遊技媒体の表裏がブラシローラにより挟持され、かつブラシローラの撓みにより遊技媒体が偏移して該ブラシローラとの摩擦により洗浄されるので、遊技媒体に対する洗浄力が向上し、付着した塵埃や油脂等の汚れを除去することができる。【００１０】  また、遊技媒体に対する洗浄力が向上するので、該遊戯媒体の維持管理を良好な状態で保持することが可能である。
【発明を実施するための最良の形態】
【００１１】
【００１２】  本発明に係る遊技媒体洗浄装置について好適な実施の形態を挙げ、添付図面を参照しながら以下詳細に説明する。【００１３】  図１および図３により、本発明に係る遊技媒体洗浄装置１０の構成について説明する。図１に示されるように遊技媒体洗浄装置１０は、基本的には筐体１２と、洗浄すべき遊技媒体、例えば、メダル１４が投入されるメダル投入部（遊技媒体投入部）１６と、前記メダル投入部１６に投入されたメダル１４を搬送するメダル搬送部１８と、前記メダル１４に対し洗浄処理を行なうメダル洗浄部（遊技媒体洗浄部）２０と、前記メダル洗浄部２０により洗浄されたメダル１４ａに付着する水分、例えば、洗浄液（図示しない）を除去する洗浄液脱水部２２と、前記遊技媒体１４を乾燥するメダル乾燥部（遊技媒体乾燥部）２４と、このメダル乾燥部２４により乾燥済のメダル１４ｂとして排出するメダル排出部（遊技媒体排出部）２６とから構成される。【００１４】  筐体１２は、箱形状に形成されており下部に図示しないキャスターが取り付けられて移動自在に構成される。【００１５】  メダル投入部１６は、筐体１２に上部に装着されメダル１４の投入を容易にするために漏斗状に形成されたメダル投入ホッパー２８を備える。【００１６】  メダル搬送部１８は、メダル投入ホッパー２８の下方に位置して前記メダル１４を載置して搬送する搬送コンベア３０と、前記搬送コンベア３０の上方に設けられたブラシローラ３２とを備える。この場合、搬送コンベア３０およびブラシローラ３２は、図示しないモータにより筐体１２に回転自在に支持される。【００１７】  前記搬送コンベア３０は、筐体１２に回転自在に配設されたローラ３４と、前記ローラ３４に巻装され前記メダル１４を載置して搬送する無端ベルト３６とを備える。【００１８】  ブラシローラ３２は、メダル１４が互いに重なって移行されるのを防止するように先端部が無端ベルト３６の上面に対して所定の間隔、例えば、メダル１４の一枚の厚さと略同じ値を有し、かつメダル１４の移送方向とは逆方向に回転する。これにより、メダル１４が搬送コンベア３０上で重なることがないように移送される。【００１９】  メダル洗浄部２０は、ブラケット３８に配設された洗浄ブラシユニット４０と、前記洗浄ブラシユニット４０の上方に設けられた洗浄剤入りの洗浄液（図示しない）を噴射する洗浄ノズル４２ａ〜４２ｄとを備える。【００２０】  洗浄ブラシユニット４０は、略上下方向に対をなすブラシローラ４４ａ〜４４ｄおよびブラシローラ４６ａ〜４６ｄからなる複数組、例えば、四組が等間隔で並設してブラケット３８に配設される。【００２１】  図２に示されるように、ブラシローラ４４ａ〜４４ｄおよびブラシローラ４６ａ〜４６ｄはブラケット３８に装着された軸受４８ａ〜４８ｄおよび軸受５０ａ〜５０ｄに軸支された回転軸５２ａ〜５２ｄおよび回転軸５４ａ〜５４ｄと、前記回転軸５２ａ〜５２ｄおよび回転軸５４ａ〜５４ｄに挿嵌されたブラシ本体５６ａ〜５６ｄおよびブラシ本体５８ａ〜５８ｄと、回転軸５２ａ〜５２ｄおよび回転軸５４ａ〜５４ｄの軸端部に固着され互いに噛み合う歯車６０ａ〜６０ｄおよび歯車６２ａ〜６２ｄとを備える。【００２２】  参照符号４３およ��４５ａ〜４５ｃはガイド板を示し、ガイド板４３はメダル搬送部１８とメダル洗浄部２０との間に設けられ、メダル１４をメダル搬送部１８よりメダル洗浄部２０に円滑に受け渡す機能を有する。【００２３】  一方、ガイド板４５ａ〜４５ｃは、メダル洗浄部２０においてメダル１４をブラシローラ４４ａ〜４４ｄおよびブラシローラ４６ａ〜４６ｄ間に円滑に受け渡す機能を有する。【００２４】  ブラシローラ４４ａ〜４４ｄおよびブラシローラ４６ａ〜４６ｄは、ともに軸長方向に縦断面凹凸の波型状に形成されている。さらに、ブラシローラ４４ａ〜４４ｄおよびブラシローラ４６ａ〜４６ｄの先端部は半径方向に互いに干渉することなく交互に所定量、例えば、２〜３ｍｍ突出した状態に保持されている。【００２５】  よって、ブラシローラ４４ａ〜４４ｄおよびブラシローラ４６ａ〜４６ｄの先端部は、互いに係合状態に維持される。【００２６】  このため、メダル１４がブラシローラ４４ａおよび４６ａに搬送されると、順次ブラシローラ４４ａ〜４４ｄおよびブラシローラ４６ａ〜４６ｄの外周部において挟持される。【００２７】  このとき、メダル１４がブラシローラ４４ａ〜４４ｄおよびブラシローラ４６ａ〜４６ｄの波型形状に沿って偏移し、かつブラシローラ４４ａ〜４４ｄおよびブラシローラ４６ａ〜４６ｄとの摩擦でメダル１４の表裏面が押圧され、かつ洗浄ノズル４２ａ〜４２ｄより噴射される洗浄液（図示しない）によりメダル１４の汚れを落とし、メダル１４に対する洗浄力を向上させることができる。【００２８】  さらに、ブラシローラ４４ａ〜４４ｄおよびブラシローラ４６ａ〜４６ｄの縦断面凹凸状の波型のピッチは、メダル１４の直径よりも小または同等にすると、該メダル１４の表裏面に接触するブラシ量が多くなり洗浄力を高めることができるので好適である。【００２９】  また、ブラシローラ４４ａ〜４４ｄおよびブラシローラ４６ａ〜４６ｄの形状は、縦断面三角状および台形状であっても勿論よい。【００３０】  さらにまた、洗浄ブラシユニット４０ａは、図３に示すようにブラシローラ４４ａ〜４４ｄおよびブラシローラ４６ａ〜４６ｄの先端部は、互いにわずかな隙間、例えば、メダル１４の厚みよりも小さくしてもよく、先端部の隙間は零であっても勿論よい。【００３１】  洗浄ノズル４２ａ〜４２ｄは、ブラシローラ４４ａ〜４４ｄの上方に位置して洗浄剤入りの洗浄液（図示しない）を噴射して、ブラシローラ４４ａ〜４４ｄおよびブラシローラ４６ａ〜４６ｄ間を通過するメダル１４を洗浄する機能を有する。【００３２】  洗浄液脱水部２２は、洗浄済のメダル１４ａを載置して搬送し、かつメダル１４ａに付着する洗浄液を脱水する脱水コンベア６４と、前記脱水コンベア６４の上方に設けられたブラシローラ６６とを備える。この場合、脱水コンベア６４およびブラシローラ６６は、図示しないモータにより筐体１２に回転自在に支持される。【００３３】  前記脱水コンベア６４は、筐体１２に回転自在に配設されたローラ６８と、前記ローラ６８に巻装され洗浄済のメダル１４ａを載置して搬送する無端ベルト７０とを備える。
なお、無端ベルト７０には外周面の周囲に長さ方向に沿って開口部、例えば、円形状の穴（図示しない）が等間隔に形成され、かつ長さ方向に略直交する幅方向に沿って等間隔に複数個設けられる。【００３４】  よって、無端ベルト７０に載置された洗浄済のメダル１４ａに付着する洗浄液は該無端ベルト７０に搬送中に穴より滴下することができる。なお、参照符号７１はストッパーを示すもので、無端ベルト７０上に載置される洗浄済のメダル１４ａの滑落を防止する機能を有し、無端ベルト７０の一側（図１で下方側）に配設される。【００３５】  ブラシローラ６６は、洗浄済のメダル１４ａが互いに重なって移行されるのを防止するように先端部が無端ベルト６６の上面に対して所定の間隔、例えば、メダル１４の一枚の厚さと略同じ値を有し、かつメダル１４ａの移送方向とは逆方向に回転する。これによりメダル１４ａが脱水コンベア６４上で重なることがないように移送される。【００３６】  メダル乾燥部２４は、上下対なす乾燥ローラ７２、７４および乾燥ローラ７６、７８と、前記乾燥ローラ７４および７８に圧接して取り付けられる絞りローラ８０および８２と、前記乾燥ローラ７２および７４の上方に配設されたヒータ８４とを備える。【００３７】  乾燥ローラ７２、７４、７６および７８は、吸水性の微細連続孔を有する多孔質の柔軟性の材料、例えばウレタンゴムにより構成される。【００３８】  絞りローラ８０および８２は、乾燥ローラ７４および７８に接触して回転し、該乾燥ローラ７４および７８により吸着された水分、例えば、洗浄液を除去排出する機能を有する。【００３９】  ヒータ８４は、乾燥ローラ７２、７４、７６および７８による吸水作用を促進する機能を有する。【００４０】  メダル乾燥部２４に近接して配設されたメダル排出部２６は、洗浄脱水されたメダル、すなわち、乾燥済のメダル１４ｂを機外に排出する機能を有する。【００４１】  本発明の実施の形態に係る遊技媒体洗浄装置１０は、基本的には以上のように構成されるものであり、次にその動作ならびに作用効果について説明する。【００４２】  先ず、洗浄すべきメダル１４をメダル投入ホッパー２８へ所定量投入する。このメダル１４の投入は、該メダル１４をメダル投入ホッパー２８へ投入する際、人手により行なってもよく、あるいはコンベア等（図示しない）で自動的に行ってもよい。【００４３】  メダル１４がメダル投入ホッパー２８に投入されると、前記メダル１４が順次、搬送コンベア３０に載置されて搬送され、かつブラシローラ３２により一枚ずつ無端ベルト３６上に保持されて、ガイド板４３を介してメダル洗浄部２０に送給される。【００４４】  次いで、メダル１４は、ガイド板４５ａ〜４５ｃを介してブラシローラ４４ａ〜４４ｄおよび４６ａ〜４６ｄ間に順次搬入し、これらのブラシローラ４４ａ〜４４ｄおよび４６ａ〜４６ｄにより表裏面が擦られ、かつ洗浄ノズル４２ａ〜４２ｄより噴射される洗浄液に洗浄されながら洗浄済のメダル１４ａとして洗浄液脱水部２２に排出される。【００４５】  メダル洗浄部２０より排出された洗浄済のメダル１４ａは、脱水コンベア６４の無端ベルト７０に順次載置され、該無端ベルト７０の上方に搬送される。この場合、洗浄済のメダル１４ａに付着する洗浄液は水滴になって、無端ベルト７０に設けられた穴（図示しない）より無端ベルト７０より落下する。【００４６】  次いで、洗浄済のメダル１４ａは、乾燥ローラ７２、７４および乾燥ローラ７６、７８間に順次移送され、これらの乾燥ロールによりメダル１４の表裏面を払拭し、該表裏面にに付着する洗浄液が吸収除去される。【００４７】  この場合、メダル１４ａの水分を吸着した乾燥ローラ７４、７４、７６および７８は、絞りローラ８０および８２により絞られ、かつヒータ８４によりこれらの乾燥ローラの脱水作用が促進される。【００４９】  そして、乾燥ローラ７２、７４、７６および７８により乾燥済のメダル１４ｂは、順次、メダル排出部２６に搬送されて機外、例えば、メダル１４ｂを収納する収納容器（図示しない）に搬出される。
【図面の簡単な説明】
【００５０】
【図１】  本発明の実施の形態に係る遊技媒体洗浄装置の概略構造を示す側面図である。
【図２】  図１のＩＩ−ＩＩ線の断面図である。
【図３】  図２のブラシローラの他の変形例を示す概略構成図である。
【符号の説明】
【００５１】  １０…遊技媒体洗浄装置
１２…筐体
１４、１４ａ、１４ｂ…メダル
１６…メダル投入部
１８…メダル搬送部
２０…メダル洗浄部
２２…洗浄液脱水部
２４…メダル乾燥部
３２、４４ａ〜４４ｄ、４６ａ〜４６ｄ、６６…ブラシローラ
７２、７４、７６、７８…乾燥ローラ
８０、８２…絞りローラ
【図１】
2005152554.tif 000003
【図２】
2005152554.tif 000004
【図３】
2005152554.tif 000005